(57)【要約】ピーク対平均電力比ＰＡＰＲを低減する開示される方法が、サブキャリアの組に使用される変調スキームに応じて、ＰＡＰＲ低減方法を選択するステップを含む。１つのタイプの変調スキームは、少なくとも１つの可能なＰＡＰＲ低減方法に、より適しており、別の変調スキームは、別のＰＡＰＲ低減方法に、より適している。開示される実施例は、種々の変調スキームの異なる特徴を調整するために、種々のＰＡＰＲ低減技術を適用する。
2010514233.tif 000002
【特許請求の範囲】
【請求項１】
サブキャリアの組に使用される変調スキームに応じて、複数のピーク対平均電力比ＰＡＰＲ低減方法から１つのＰＡＰＲ低減方法を選択するステップと、
前記選択されたＰＡＰＲ低減方法を前記サブキャリアの前記組に適用するステップと
を含む、多重サブキャリア通信システムにおけるＰＡＰＲ低減の方法。
【請求項２】
種々の変調スキームが前記サブキャリアの種々の組に使用され、
サブキャリアの各組にそれぞれ適用されることになる前記ＰＡＰＲ低減方法を、各組に使用される対応する変調スキームに応じて、自動的に選択するステップを含む、
請求項１に記載の方法。
【請求項３】
第１のＰＡＰＲ低減方法を、第１の変調スキームを使用する前記サブキャリアの前記組のうちの第１の組に適用するステップと、
第２のタイプのＰＡＰＲ低減方法を、前記第１の変調スキームより低い変調スキームである第２の変調スキームを使用するサブキャリアの前記組のうちの第２の組に適用するステップと
を含む、請求項２に記載の方法。
【請求項４】
前記第１のＰＡＰＲ低減方法が、部分系列伝送ＰＴＳのＰＡＰＲ低減方法を含み、前記第２のＰＡＰＲ低減方法が、別のＰＡＰＲ低減方法を含む、請求項３に記載の方法。
【請求項５】
前記第２のＰＡＰＲ低減方法が、クリッピングを含む、請求項４に記載の方法。
【請求項６】
前記第２のＰＡＰＲ低減方法が、適応コンステレーション拡張を含む、請求項４に記載の方法。
【請求項７】
前記第２のＰＡＰＲ低減方法が、トーン・インジェクションを含む、請求項４に記載の方法。
【請求項８】
前記第１の変調スキームが、１６ＱＡＭ変調スキームである、請求項３に記載の方法。
【請求項９】
前記第１の変調スキームが、６４ＱＡＭ変調スキーム、または６４ＱＡＭより高い変調スキームのうちの一方である、請求項３に記載の方法。
【請求項１０】
同時にサブキャリアの別の組を使用する少なくとも２人のユーザがおり、前記組のそれぞれが別の変調スキームを使用し、
前記少なくとも２人のユーザについて機能する少なくとも２つの別のＰＡＰＲ低減方法を使用するステップ
を含む、請求項１に記載の方法。
【請求項１１】
ユーザ・データに使用されないサブキャリア上に、ＰＡＰＲ低減のための補償信号を伝えるステップ
を含む請求項１に記載の方法。
【請求項１２】
サブキャリアの前記組に使用される前記変調スキームを判定するステップ
を含む、請求項１に記載の方法。
【請求項１３】
サブキャリアの前記組を含むコンポジット信号のピークを判定するステップと、
少なくとも１人のユーザのピークに対する貢献を判定するステップと、
前記少なくとも１人のユーザに使用される変調スキームを判定するステップと、
前記少なくとも１人のユーザに使用される前記判定された変調スキームに応じて、前記少なくとも１人のユーザについて前記ＰＡＰＲ低減方法を選択するステップと
を含む、請求項１に記載の方法。
【請求項１４】
複数のユーザのそれぞれのピークに対する貢献を判定するステップと、
前記複数のユーザのそれぞれに使用される変調スキームを判定するステップと、
各ユーザについて判定された対応する変調スキームに応じて、前記複数のユーザのそれぞれについて前記ＰＡＰＲ低減方法を選択するステップと
を含む、請求項１３に記載の方法。
【請求項１５】
サブキャリアの前記組を含むコンポジット信号のピークの大きさを低減するステップ
を含む、請求項１乃至１４のいずれか１項に記載の方法。
【発明の詳細な説明】
【技術分野】
【０００１】
本発明は、概して、通信に関する。より詳細には、本発明は、通信における電力制御に関する。
【背景技術】
【０００２】
無線および有線通信システムは、よく知られており、広く用いられている。良好かつ信頼性の高い通信を容易にすることに関連した課題はいろいろある。１つは、電力レベルを管理することである。
【０００３】
マルチキャリア伝送は、例えば、デジタル加入者回線ＤＳＬ技術についての離散マルチトーン伝送ＤＭＴ、およびＷＬＡＮ、ＷｉＭＡＸ、ＤＶＢまたは次世代のＥ−ＵＴＲＡ無線通信規格についての直交周波数分割多重ＯＦＤＭによる有線および無線の用途に使用されることが多い。マルチキャリア伝送の主な欠点は、伝送信号のピーク対平均電力比ＰＡＰＲの高いことである。高いＰＡＰＲは、電力増幅器の動作がほぼ線形に保たれるように、最大電力からの大きい電力増幅器バックオフが必要であり、特定の電力増幅器の平均伝送電力および電力効率を下げる。
【０００４】
部分系列伝送ＰＴＳ、クリッピング、適応コンステレーション拡張、トーン・インジェクションおよびトーン・リザベーションを含む多数の技術が、ＰＡＰＲを低減するために提案されている。
【０００５】
これらの技術のうちで、ＰＴＳを適用することは特に有利であるように思われ、それは、帯域内伝送信号にまったくエラーを取り込まないので、帯域外放出が起きず、伝送信号の出力電力を増大または減少させない。知られているように、ＰＴＳは、１つの回転因子を、Ｎ個のオーバーラップしていないサブベクトルそれぞれに適用する。すべてのサブベクトルは、ＯＦＤＭシンボル毎に１つの回転因子による乗法によって特徴付けられる。回転因子は、通常、単位円における回転因子の離散集合、例えば、｛１、ｊ、−１、−ｊ｝から選択され、それにより、伝送エネルギーが保存される。
【０００６】
上述されている他の技術はそれぞれ、いくつかの弱点をはらんでいる。クリッピングは、帯域内および帯域外歪みをもたらす。適応コンステレーション拡張およびトーン・インジェクションは、伝送電力を変化させ、特定の受信機設計が必要である。トーン・リザベーションおよび部分系列伝送は、伝送システムの容量またはデータ・レートを下げる。
【発明の概要】
【課題を解決するための手段】
【０００７】
多重サブキャリア通信システムにおけるピーク対平均電力比ＰＡＰＲ低減の例示的な方法が、サブキャリアの組に使用される変調スキームに応じて、複数のＰＡＰＲ低減方法から１つのＰＡＰＲ低減方法を選択するステップを含む。選択されたＰＡＰＲ低減方法は、サブキャリアの組に適用される。
【０００８】
本発明の様々な特徴および利点は、以下の詳細な説明により当業者には明らかになるであろう。詳細な説明に付随する図面は、以下のように簡潔に説明可能である。
【図面の簡単な説明】
【０００９】
【図１】本発明の実施形態により使用される実施例手順を要約しているフローチャート図である。
【発明を実施するための形態】
【００１０】
図１は、コンポジット信号が通信に使用される場合のピーク対平均電力比ＰＡＰＲを低減するための実施例手法を要約しているフローチャート図２０を含む。この実施例は、２２から開始し、コンポジット信号におけるピークが識別される。一実施例においては、コンポジット信号と共に使用される増幅器はアナログ波形を有するので、これは、アナログ信号を近似するオーバサンプリングされたドメイン内で起きる。
【００１１】
２４において、コンポジット信号の各ユーザの識別されたピークに対する貢献が判定される。２６において、各ユーザによって使用されるサブキャリアの組およびサブキャリアの各組に使用される変調スキームが判定される。ほとんどの状況において、このような情報は、コンポジット信号が使用されている通信システムによって既に知られている。
【００１２】
２８において、ＰＡＰＲ低減方法が、ユーザのうちの少なくとも１人について選択される。ほとんどの状況において、ＰＡＰＲ低減方法がサブキャリアの対応する各組に有用になるように、複数のユーザは、コンポジット信号のピークに対する貢献を有することになる。この実施例の１つの特徴は、サブキャリアの各組に使用される変調スキームが、サブキャリアの対応する組について選択されるＰＡＰＲ低減方法を決定付けることである。この手法の１つの特徴は、種々のチャネル条件を有するユーザと関連した異なる要件を活用することである。
【００１３】
例えば、優れたチャネル条件を有するユーザは、高次の変調および符号化のレートを使用することが可能である。より低品質のチャネル条件は、必ずしも、このような高次の変調技術に適合するとは限らない。種々の変調スキームは、種々の要件を有する。例えば、より低次の変調技術は、より高次の変調技術に比較して、ＰＡＰＲ低減方法を適用する結果として取り込まれるエラーがより高い可能性がある。そのため、使用される種々の変調技術を有するサブキャリアの組について種々のＰＡＰＲ低減方法を使用することは、サブキャリアの所与の組と関連した要件を一意的に対処することを可能にする。
【００１４】
一実施例においては、導入されたＰＡＰＲ方法（複数可）は、パイロットシンボルに影響を及ぼさず、それにより、パイロットシンボルは、修正なしに伝送されて、受信機において信頼性が高く、単純なチャネル推定が可能になる。
【００１５】
一実施例においては、サブキャリアの組が、使用される関連高次変調技術を有する場合、ＰＡＰＲ低減方法の選択肢は、部分系列伝送ＰＴＳ方法である。一実施例においては、回転因子についての情報を伝送するための追加のオーバーヘッドは、これらのユーザにとってデータ・レートに比較して小さいので、ＰＴＳは、使用されるより高い変調スキームを有するサブキャリアの組だけに適用される。６４ＱＡＭ（あるいはまた、１６ＱＡＭ）変調を利用するすべてのユーザは、ＯＦＤＭシンボル毎に２ビットの追加情報を必要とする係数｛＋１、ｊ、−１、−ｊ｝のうちのいずれか１つによって回転されるＯＦＤＭシンボルを有することになる。一実施例においては、特定のユーザに対してのすべてのサブキャリアが、同じ係数により回転される。このような実施例における回転因子についての情報を伝達するための追加の制御シグナル伝達のオーバーヘッドは、比較的小さい。１２個のサブキャリアからなるユーザ割り当てに対してのリソース・ブロックによるＥ−ＵＴＲＡの適用の場合、それぞれ、１６ＱＡＭユーザにとっては、制御シグナル伝達のオーバーヘッドは、約２／４８であり、６４ＱＡＭにとっては、制御シグナル伝達のオーバーヘッドは、約２／７２である。
【００１６】
ＰＴＳは、スケジューラによって決定される伝送電力設定がＰＡＰＲ方法によって変わらないという利点を有する。さらには、ＰＴＳは、歪みをまったく取り込まず、高い変調について特に重要なことであり、これらは、エラー・ベクトルの大きさＥＶＭによって測定される変調エラーに対して非常に敏感であるからである。
【００１７】
ＱＰＳＫ変調信号など、より低次の関連変調技術を有する信号は、変調エラーに対してそれほど敏感でなく、ＥＶＭに対してはより耐性がある。ＥＶＭ要件は、Ｅ−ＵＴＲＡにおいて特異的な変調を規定され、ＥＶＭ要件は、より高い変調技術についての要件に比べて、ＱＰＳＫについてはそれほど厳密ではないので、ＰＡＰＲを下げようという意図により、ＱＰＳＫサブキャリア信号に限られた量の信号歪みを取り込むことが可能である。
【００１８】
また、ＱＰＳＫサブキャリアだけについて他の代替のＰＡＰＲ低減方法を取り込むこともより容易である。具体的には、適応コンステレーション拡張またはトーン・インジェクションは、受信機の複雑さが中等度高まることにより、ＱＰＳＫ変調信号について規定可能であるが、それは、より高い変調については、著しく困難になる。
【００１９】
いくつかの実施例に使用される他の実施例ＰＡＰＲ低減方法は、クリッピング、適応コンステレーション拡張、トーン・リザベーション、およびトーン・インジェクションを含む。この説明を所与として、当業者は、どのＰＡＰＲ低減方法（複数可）が、特定の変調スキームとよく機能して、それらの特定の状況の要求を満たすかを認識するであろう。
【００２０】
３０において、選択されたＰＡＰＲ低減方法は、サブキャリアの対応する組に適用される。適用されたＰＡＰＲ低減方法（複数可）は、コンポジット信号のピークの大きさを低減するように意図される。
【００２１】
一実施例においては、少なくとも２人のユーザは、ユーザそれぞれのサブキャリアにＰＡＰＲ低減を適用することを保証するコンポジット信号のピークに対する貢献を有する。種々のユーザが、所与の時間において、ユーザの指定されたサブキャリアに使用される種々の変調スキームを有する場合、種々のＰＡＰＲ低減方法は、サブキャリアのユーザそれぞれの組について選択され、使用される。
【００２２】
一実施例においては、少なくともある場合、およびいくつかの場合においては、一時的にまたは恒久的に使用されず、変調データ・シンボルをまったく伝えない複数のキャリアを利用して、ＰＡＰＲを下げるための補償信号を取り込むことが可能である。ＰＡＰＲの補償に恒久的に使用されるサブキャリアの場合、この技術は、トーン・リザベーション方法として知られている。
【００２３】
開示される実施例の１つの特徴は、それらの実施例により、通信システム装置において費用削減が可能になることである。例えば、より低いＰＡＰＲは、より低い電力増幅器バックオフが必要であり、電力増幅器の電力効率性が増大するということを意味する。言い換えれば、開示される実施例により、開示される技術が利用されなかった場合に存在することになる、より高価な増幅器が必要であることを回避して、より高いＰＡＰＲを調整することが可能である。
【００２４】
前述の説明は、性質上、制限的ではなく、例示的である。開示される実施例に対する変更形態および修正形態は、本発明の本質から必ずしも逸脱しないことが当業者には明らかになることが可能である。本発明に対する所与の法的保護の範囲は、以下の特許請求の範囲を検討することだけによって決定可能である。
【図１】
2010514233.tif 000003
【国際調査報告】
2010514233.tif 000004
2010514233.tif 000005
2010514233.tif 000006